(57)【要約】【課題】  長期間使用した状態が続いても悪臭の発生を抑える保護シートを提供する。【解決手段】  第２保護シート１２は透明な合成樹脂フィルム１９を中心として構成されている。合成樹脂フィルム１９の上面には全面に亜鉛系の透明な抗菌剤２０が塗布されている。合成樹脂フィルム１９の下面には印刷層２２が形成され、印刷模様が合成樹脂フィルム１９及び抗菌剤２０を介して上方から透視できる。合成樹脂フィルム１９の下面側には印刷層２２を介してアクリル系の吸着層２３が全面に形成されている。吸着層２３は、その形成時にアクリル系の合成樹脂に対して無機系の消臭剤が一定重量比で練り込まれている。これによって、第２保護シート１２をキッチン調理台１４上に接着した際、吸着層２３とキッチン調理台１４との間に侵入した水等の腐食による臭いは吸着層２３によって消臭され、悪臭が拡散する虞はない。【選択図】      図２
2006015489.tif 000002
【特許請求の範囲】
【請求項１】
被取付面を覆い、汚れ等から保護するための保護シートであって、
合成樹脂フィルムと、
消臭効果を有するとともに、前記合成樹脂フィルムの一方面側に形成され、前記被取付面に着脱自在の接着層とを備えた、保護シート。
【請求項２】
前記接着層は、前記合成樹脂フィルムの前記一方面側の全面に形成され、消臭剤が練り込まれた合成樹脂からなる吸着層を含む、請求項１記載の保護シート。
【請求項３】
前記消臭剤と前記合成樹脂との重量比は、１．５：１００である、請求項２記載の保護シート。
【請求項４】
前記合成樹脂フィルムは透明であり、前記一方面に形成された印刷層を更に備え、
前記接着層は前記印刷層を介して前記合成樹脂フィルムに形成される、請求項１から請求項３のいずれかに記載の保護シート。
【請求項５】
前記合成樹脂フィルムの他方面に形成された抗菌剤を更に備えた、請求項４記載の保護シート。
【発明の詳細な説明】
【技術分野】
【０００１】
この発明は保護シートに関し、特に台所の調理台等の上を覆うように接着して用いる保護シートに関するものである。
【背景技術】
【０００２】
従来台所の調理台等の上を覆うように設置して、調理台等の汚れを防止する保護シートが提案されている。この保護シートは合成樹脂フィルムの一方面に粘着剤を塗布したものが一般的である。
【０００３】
設置した保護シートが汚れたらその都度取替えることによって、調理台等の汚れが常に防止されることになり、使い勝手が良い。
【発明の開示】
【発明が解決しようとする課題】
【０００４】
上記のような従来の保護シートでは、１枚の保護シートを長く使っていると問題を生じる虞がある。通常台所の調理台等にあっては、水等の液体を使用することが多くなるが、この水等が保護シートと設置面との間に入り込んでしまう場合がある。この状態が長く続くと、水等の腐食によって悪臭を放つことにもなり、保護シートの本来の目的である清潔感が損なわれることにもなりかねない。
【０００５】
この発明は上記のような課題を解決するためになされたもので、長期間使用した状態が続いても悪臭の発生を抑えることができる保護シートを提供することを目的とする。
【課題を解決するための手段】
【０００６】
上記の目的を達成するために、請求項１記載の発明は、被取付面を覆い、汚れ等から保護するための保護シートであって、合成樹脂フィルムと、消臭効果を有するとともに、合成樹脂フィルムの一方面側に形成され、被取付面に着脱自在の接着層とを備えたものである。
【０００７】
このように構成すると、被取付体と合成樹脂フィルムとの間に侵入した水等からの臭いの発生が抑えられる。
【０００８】
請求項２記載の発明は、請求項１記載の発明の構成において、接着層は合成樹脂フィルムの一方面側の全面に形成され、消臭剤が練り込まれた合成樹脂からなる吸着層を含むものである。
【０００９】
このように構成すると、合成樹脂の下面に一定密度で消臭剤が露出する。
【００１０】
請求項３記載の発明は、請求項２記載の発明の構成において、消臭剤と合成樹脂との重量比は、１．５：１００としたものである。
【００１１】
請求項４記載の発明は、請求項１から請求項３のいずれかに記載の発明の構成において、合成樹脂フィルムは透明であり、一方面に形成された印刷層を更に備え、接着層は印刷層を介して合成樹脂フィルムに形成されるものである。
【００１２】
このように構成すると、合成樹脂フィルムを介して印刷層が透視できる。
【００１３】
請求項５記載の発明は、請求項４記載の発明の構成において、合成樹脂フィルムの他方面に形成された抗菌剤を更に備えたものである。
【００１４】
このように構成すると、合成樹脂フィルムの上面は抗菌作用を発揮する。
【発明の効果】
【００１５】
以上説明したように、請求項１記載の発明は、侵入した水等からの臭いの発生が抑えられるため、被取付体に対する保護シートの使用期間を長くすることが可能となる。
【００１６】
請求項２記載の発明は、請求項１記載の発明の効果に加えて、合成樹脂の下面に消臭剤が一定密度で露出するため、消臭効果と吸着効果とが安定して発揮される。
【００１７】
請求項３記載の発明は、請求項２記載の発明の効果に加えて、消臭効果と吸着効果とが効率的に発揮される。
【００１８】
請求項４記載の発明は、請求項１から請求項３のいずれかに記載の発明の効果に加えて、フィルムを介して印刷層が透視できるため、印刷層の印刷模様の形成状態が安定して持続し、視覚性の高い保護シートとなる。
【００１９】
請求項５記載の発明は、請求項４記載の発明の効果に加えて、フィルム上面は抗菌作用を発揮するため、接着層の消臭効果とあいまって清潔感がより発揮され、特に台所の調理台等を覆うのに適したものとなる。
【発明を実施するための最良の形態】
【００２０】
図１はこの発明の第１の実施の形態による保護シートの使用状態を示した斜視図であり、図２は図１で示したＩＩ−ＩＩラインの拡大断面図である。
【００２１】
これらの図を参照して、キッチン調理台１４にはシステムキッチン用レンジ１５が落し込まれるように嵌め込まれて設置されている。システムキッチン用レンジ１５のガードプレート１７の周囲は、平面視コの字状の第１保護シート１１と平面視矩形形状の第２保護シート１２とによって囲われるように取付けられている。これによってシステムキッチン用レンジ１５の周りのキッチン調理台１４は、第１保護シート１１及び第２保護シート１２によってその表面が保護された状態となる。第１保護シート１１又は第２保護シート１２の表面が汚れた状態となると、その都度新しいものに取替えることによって常にキッチン調理台１４の表面は保護された状態となる。
【００２２】
第１保護シート１１と第２保護シート１２の断面構成は同一であり、その具体的な構成は図２に示されている。第２保護シート１２はポリエチレンテレフタレート（ＰＥＴ）よりなる合成樹脂フィルム１９を中心として構成されている。合成樹脂フィルム１９の上面には亜鉛系の透明の抗菌剤２０が全面に塗布されている。一方、合成樹脂フィルム１９の下面には、印刷層２２が形成されており印刷模様が施されている。更に、合成樹脂フィルム１９の下面側には印刷層２２を介してアクリル系の合成樹脂（好ましくは発泡樹脂）よりなる吸着層２３が全面に形成されている。尚、吸着層２３は後述する製造工程において、消臭剤が練り込まれた状態で合成樹脂フィルム１９に対して吸着加工されるものである。
【００２３】
第２保護シート１２は上述のように構成され、吸着層２３の吸着効果によって平滑な面であれば、所望の場所に脱着自在に接着させることが可能となる。又、第２保護シート１２の接着は、粘着剤を用いずに吸着層２３の吸着効果によるものであるため、キッチン調理台１４等から取外した場合にあっても、キッチン調理台１４の表面に糊残りを生じる虞はない。
【００２４】
第２保護シート１２の使用が長期化すると、吸着層２３の下面とキッチン調理台１４の上面との間の隙間に水等が侵入する虞がある。仮にこのような水等が内部で腐食した場合であっても、吸着層２３は上述のように吸着効果のみならず消臭効果も併せ持っている。従って、侵入した水等からの臭いは吸着層２３によって吸収され、外方への悪臭の発散を抑制することが可能となる。これによって、第２保護シート１２の清潔感を長期間保つことが可能となる。
【００２５】
図３はこの発明の第１の実施の形態による保護シートの製造過程を示した概略工程図である。
【００２６】
図を参照して、まずその（１）のように、厚さ５０μｍのＰＥＴよりなる透明な合成樹脂フィルム１９が準備される。次にその（２）に示されているように、合成樹脂フィルム１９の下面にパール調の３色印刷が施され印刷層２２が形成される。これによって印刷層２２の印刷模様は合成樹脂フィルム１９を介してその上方から透視することが可能となる。
【００２７】
次にその（３）に示されているように、合成樹脂フィルム１９の印刷層２２側とは反対面の全面に亜鉛系の透明な抗菌剤２０が全面に塗布される。その塗布量は０．３ｇ／ｍ２である。これによって合成樹脂フィルム１９の上面には殺菌効果がもたらされることになる。
【００２８】
次にその（４）に示されているように、合成樹脂フィルム１９の下面側には印刷層２２を介して厚さ７０μｍのアクリル系の吸着層２３が全面に形成される。尚、吸着層２３には無機系の消臭剤がアクリル系の合成樹脂（以下「吸着樹脂」ともいう）に対して重量比率で１．５：１００の状態で練り込まれている。これによって吸着層２３の下面には練り込まれた消臭剤が外方に一定密度で露出することになる。これによって、吸着層２３の下面は安定した消臭効果を発揮することになる。
【００２９】
次にその（５）に示されているように、吸着層２３の下面に透明な合成樹脂よりなる剥離紙２５が全面に貼り付けられ、製品たる保護シートが完成する。尚、保護シートは製造時にあってはシート状に形成されるため、製品の用途に応じてこれを平版断裁やトムソン抜き加工によって所望の形状にして製品化する。
【００３０】
図４は図１で示した第１保護シート及び第２保護シートの製品化前の状態を示した図である。
【００３１】
上述のように保護シート２７は製造完成時にあってはシート状に形成されているため、これを図の境界線２９で打ち抜くことによってコの字状の第１保護シート１１と矩形状の第２保護シート１２とが無駄なく製造されることになる。そして図１に示すようにキッチン調理台１４の上面に接着する際には、保護シート２７の状態で下面に貼り付けられている剥離紙２５を取除く。これによって、吸着層２３の吸着効果により第１保護シート１１及び第２保護シート１２をキッチン調理台１４上の所望の場所に接着させることが可能となる。そして、この実施の形態にあっては第１保護シート１１及び第２保護シート１２の下面には粘着剤を用いずに吸着層を形成しているため、これらの取替え時にキッチン調理台１４上に糊残り等を生じる虞はない。
【００３２】
尚、上記の実施の形態では、保護シートをキッチン調理台の上を保護するように用いているが、台所の壁面等の他の場所にも同様に使用でき同様の効果を奏することは言うまでもない。
【００３３】
又、上記の実施の形態では、消臭剤と吸着樹脂との重量比率を特定しているが、消臭効果が発揮されるものであればこの重量比率は他の比率でも良い。
【００３４】
更に、上記の実施の形態では、合成樹脂フィルム、消臭剤及び吸着樹脂を特定しているが他の種類のものを用いても良いことは言うまでもない。
【００３５】
更に、上記の実施の形態では、保護シートを構成している各材料の厚さ等を特定しているが、他の厚さ等の材料を用いても良い。
【００３６】
更に、上記の実施の形態では、ＰＥＴフィルムの下面に吸着層を形成しているが、これに代えて粘着剤を塗布して粘着層を形成しても良い。この場合、粘着剤に消臭剤を同様に練り込むようにすれば、同様の効果を奏する。
【００３７】
更に、上記の実施の形態では、ＰＥＴフィルムおよび抗菌剤は透明のものを用いているが、不透明のものであっても良い。この場合、ＰＥＴフィルム等を介して透視できなくなるため印刷層は不要となる。
【図面の簡単な説明】
【００３８】
【図１】この発明の第１の実施の形態による保護シートの取付け状態を示した概略斜視図である。
【図２】図１で示したＩＩ−ＩＩラインの拡大断面図である。
【図３】図１及び図２で示した保護シートの製造過程を示す概略断面図である。
【図４】図１で示した第１保護シートと第２保護シートの製品化過程を示した平面図である。
【符号の説明】
【００３９】
１１…第１保護シート
１２…第２保護シート
１４…キッチン調理台
１９…合成樹脂フィルム
２０…抗菌剤
２２…印刷層
２３…吸着層
尚、各図中同一符号は同一又は相当部分を示す。
【図１】
2006015489.tif 000003
【図２】
2006015489.tif 000004
【図３】
2006015489.tif 000005
【図４】
2006015489.tif 000006